(57)【要約】【課題】  電子スイッチの強電波による誤動作を抑制できるようにする。【解決手段】  出力回路５７により２線式の電子スイッチ２１の動作状態に応じて、電源電圧値より小さく、接地電圧値より大きな、少なくとも１つ以上の中間電圧値を変化させて、被検出体である遊技球が検出された場合、電源電圧値または電源電圧値近傍の電圧値を出力し、遊技球が検出されていない場合、接地電圧値または接地電圧値近傍の電圧値を出力し、電波が検出された場合、電源電圧値または電源電圧値近傍の電圧値より小さく、接地電圧値または接地電圧値近傍の電圧値よりも大きな中間電圧値を出力する。本発明は、パチンコ遊技台に適用することができる。【選択図】  図４
2006304007.tif 000002
【特許請求の範囲】
【請求項１】
被検出体の有無を検出し、電気信号の状態変化にて被検出体の検出の有無を出力する電子スイッチであって、
前記被検出体の有無を検出する被検出体検出手段と、
電波を検出する電波検出手段と、
前記被検出体検出手段により被検出体が検出された場合、第１の出力電圧値を出力し、前記被検出体が検出されていない場合、第２の出力電圧値を出力し、前記電波検出手段により電波が検出された場合、第３の出力電圧値を出力する出力手段と
を備えることを特徴とする電子スイッチ。
【請求項２】
前記第１乃至第３の出力電圧値は、それぞれが異なる電圧値であって、かつ、電源電圧値もしくは前記電源電圧値近傍の電圧値、接地電圧値もしくは前記接地電圧値近傍の電圧値、または前記電源電圧値より小さく前記接地電圧値よりも大きな中間電圧値のいずれかである
ことを特徴とする請求項１に記載の電子スイッチ。
【請求項３】
前記出力手段は、
前記電源電圧値より小さく、前記接地電圧値より大きな、少なくとも１つ以上の中間電圧値に切り替える切替手段を備え、
前記第１の出力電圧値は、前記電源電圧値または前記電源電圧値近傍の電圧値であり、前記第２の出力電圧値は、前記接地電圧値または前記接地電圧値近傍の電圧値であり、
前記出力手段は、前記切替手段により切り替えられた前記第１の中間電圧値より小さく、前記第２の出力電圧値よりも大きな中間電圧値を、前記第３の出力電圧値として出力する
ことを特徴とする請求項２に記載の電子スイッチ。
【請求項４】
前記出力手段は、
前記電源電圧値より小さく、前記接地電圧値より大きな、少なくとも１つ以上の中間電圧値に切り替える切替手段を備え、
前記第１の電圧値、および前記第２の電圧値は、それぞれ第１の中間電圧値、および第２の中間電圧値であり、
前記出力手段は、前記電源電圧値もしくは前記電源電圧値近傍の電圧値、または前記接地電圧値もしくは前記接地電圧値近傍の電圧値を前記第３の出力電圧値として出力する
ことを特徴とする請求項２に記載の電子スイッチ。
【請求項５】
前記出力手段は、
ダイオード、およびツェナーダイオード等の定電圧特性を示す素子、若しくは定電圧回路、あるいは定電流回路を備え、
前記ダイオード、および前記ツェナーダイオード等の前記定電圧特性を示す素子、若しくは前記定電圧回路、あるいは前記定電流回路を開閉することにより、出力電圧値を切り替えて出力する
ことを特徴とする請求項１乃至４に記載の電子スイッチ。
【請求項６】
請求項１乃至５に記載のいずれかの電子スイッチ、および、前記電子スイッチの出力に応じた信号を発生するインタフェース回路からなる被検出体有無判定システムにおいて、
前記第１乃至第３の出力電圧値は、前記電源電圧値または前記接地電圧値とは異なる電圧値である
ことを特徴とする被検出体有無判定システム。
【請求項７】
請求項１乃至５に記載のいずれかの電子スイッチ、および、前記電子スイッチの出力に応じた信号を発生するインタフェース回路からなる被検出体有無判定システムにおいて、
前記インタフェース回路は、
前記電子スイッチにおける前記ダイオード、および前記ツェナーダイオード等の前記定電圧特性を示す素子、若しくは前記定電圧回路、あるいは前記定電圧回路と略同一の特性を有するダイオード、およびツェナーダイオード等の定電圧特性を示す素子、若しくは定電圧回路、もしくは定電流回路を備える
ことを特徴とする被検出体有無判定システム。
【請求項８】
請求項１乃至５のいずれかに記載の電子スイッチ、または請求項６，７に記載の被検出体有無判定システムを備える
ことを特徴とするパチンコ遊技台。
【請求項９】
被検出体の有無を検出し、電気信号の状態変化にて被検出体の検出の有無を出力する電子スイッチの動作方法であって、
前記被検出体の有無を検出し、
電波を検出し、
前記被検出体が検出された場合、第１の出力電圧値を出力し、前記被検出体が検出されていない場合、第２の出力電圧値を出力し、前記電波が検出された場合、第３の出力電圧値を出力する
ことを特徴とする電子スイッチの動作方法。
【発明の詳細な説明】
【技術分野】
【０００１】
本発明は、電子スイッチ、および電子スイッチの動作方法に関し、特に、強電波を用いた誤動作による不正行為を抑制するようにした電子スイッチ、および電子スイッチの動作方法に関する。
【背景技術】
【０００２】
パチンコ遊技台では、遊技球を検出するための直流２線式遊技球検出スイッチが多く用いられている。直流２線式スイッチは、機械式スイッチと同じ感覚で使用可能であり、かつ電子スイッチであるため出力信号の機械的なチャタリングが発生しないという利点がある。尚、遊技球検出スイッチとしては、この他に直流３線式スイッチなどもある。
【０００３】
パチンコ遊技台においては、上述した遊技球を検出するために直流２線式遊技球検出スイッチの他、遊技ハンドル部への人体接触タッチスイッチ、位置検出スイッチなど、複数の電子スイッチが設けられており、それぞれのスイッチの検出状況に基づいて、パチンコ遊技台の遊技状態が間接的に認識される。
【０００４】
ところで、パチンコ遊技台には、遊技球を発射させるための遊技ハンドルが設けられており、これが遊技者により適宜操作されることで、遊技球が発射される。さらに、この発射された遊技球が、所定のチャッカに入賞できたとき、パチンコ遊技台は、チャッカに応じて設定された所定数の遊技球を払い出す。したがって、遊技者は、パチンコ遊技台の遊技ハンドルを適切に操作することで、遊技球をチャッカに入賞し続けることができれば、遊技を継続することが出来るだけでなく、払い出される遊技球を増やすことができる。
【０００５】
このため、上述した各種のスイッチを強制的に誤動作させ、遊技球を正規にチャッカに入賞することなく払い出させようとする犯罪が後を絶たない。このため、近年においては、このような不正行為を防止させるためのセキュリティ機能が求められている。
【０００６】
具体的な不正としては、例えば、チャッカに遊技球が入賞されたか否かは、上述した２線式遊技球検出スイッチで判定するため、トランシーバーなどにより発せられる強電波を照射することで誤動作させ、チャッカに遊技球が入賞されていないのにもかかわらず、あたかも入賞したかのように２線式遊技球検出スイッチを誤動作させるというものがある。
【０００７】
また、正規の２線式遊技球検出スイッチとは異なるスイッチを取り付け、検出信号を自由に操るというものがある。
【０００８】
さらに、電子スイッチの電力供給線を操作し、開放、短絡、もしくは異常電位を印加するというものがある。
【０００９】
いずれも電子スイッチ自身、もしくは接続線に不正処理を施すというものである。
【００１０】
このような不正行為に対して、電子スイッチ内に電波検出回路を設け、電波検出回路作動時には被検出体有無信号とは異なる出力動作を呈することで電子スイッチに対する電波照射状況を後段に出力するが提案されている（特許文献１参照）。
【００１１】
また、特許文献１と同様に、電子スイッチ内に電波検出回路を設け、電波検出回路作動時には被検出体有無信号の直前状態を保持するものが提案されている（特許文献２参照）。
【００１２】
【特許文献１】特開２００１−１４９５３２号公報
【特許文献２】特開２００２−５０９５４号公報
【発明の開示】
【発明が解決しようとする課題】
【００１３】
しかしながら、上述した方法では、断線、短絡、別スイッチ取り付け、別電圧印加、および電波照射といった複数種類の不正行動を検出ことができず、さらに、それらの不正行動の種類を判別することができなかった。特に、遊技球検出スイッチについては、インタフェース回路との接続互換性などの観点から、上述した２線式スイッチでは２端子間の電位で、３線式スイッチでは出力端子電位のみで、断線、短絡、別スイッチ取り付け、別電圧印加、および電波照射といった複数種類の不正行動を検出し、さらに、それらの不正行動の種類を判別できるようにすることが望ましい形態であるが、これを実現することができなかった。
【００１４】
さらに、上述した方法では、インタフェース回路に復調回路などが別途必要となるため、インタフェース回路の構造が複雑であると共に、パチンコ遊技台を制御する制御コンピュータに用いるソフト容量を増やしてしまう恐れがあった。
【００１５】
本発明はこのような状況に鑑みてなされたものであり、簡単な装置構成で、電子スイッチの強電波を用いた誤動作による不正行為を抑制できるようにするものである。
【課題を解決するための手段】
【００１６】
本発明の電子スイッチは、被検出体の有無を検出する被検出体検出手段と、電波を検出する電波検出手段と、被検出体検出手段により被検出体が検出された場合、第１の出力電圧値を出力し、被検出体が検出されていない場合、第２の出力電圧値を出力し、電波検出手段により電波が検出された場合、第３の出力電圧値を出力する出力手段とを備えることを特徴とする。
【００１７】
前記第１乃至第３の出力電圧値は、それぞれが異なる電圧値であって、かつ、電源電圧値もしくは電源電圧値近傍の電圧値、接地電圧値もしくは接地電圧値近傍の電圧値、または電源電圧値より小さく接地電圧値よりも大きな中間電圧値のいずれかとするようにする。
【００１８】
前記出力手段には、電源電圧値より小さく、接地電圧値より大きな、少なくとも１つ以上の中間電圧値に切り替える切替手段を設け、第１の出力電圧値は、電源電圧値または電源電圧値近傍の電圧値で、第２の出力電圧値は、接地電圧値または接地電圧値近傍の電圧値で、出力手段には、切替手段により切り替えられた第１の中間電圧値より小さく、第２の出力電圧値よりも大きな中間電圧値を、第３の出力電圧値として出力させるようにする。
【００１９】
前記出力手段には、電源電圧値より小さく、接地電圧値より大きな、少なくとも１つ以上の中間電圧値に切り替える切替手段を設け、第１の電圧値、および第２の電圧値は、それぞれ第１の中間電圧値、および第２の中間電圧値とするようにすることができ、出力手段には、電源電圧値もしくは電源電圧値近傍の電圧値、または接地電圧値もしくは接地電圧値近傍の電圧値を第３の出力電圧値として出力させるようにする。
【００２０】
前記出力手段には、ダイオード、定電圧回路、ツェナーダイオード、および定電圧回路等を具備し、これらを開閉することにより、出力電圧値を切り替えて出力させるようにすることができる。
【００２１】
本発明の被検出体有無判定システムは、第１乃至第３の出力電圧値は、電源電圧値または接地電圧値とは異なる電圧値とすれば、断線または短絡の判定が可能なシステムとなりうる。
【００２２】
本発明の被検出体有無判定システムは、インタフェース回路が、電子スイッチにおけるダイオード、定電圧回路、ツェナーダイオード、および定電圧回路と略同一の特性を有するダイオード、定電圧回路、ツェナーダイオード、および定電流回路を備えることを特徴とする。
【００２３】
本発明のパチンコ遊技台は、請求項１乃至５のいずれかに記載の電子スイッチ、または請求項６，７に記載の被検出体有無判定システムを備えることを特徴とする。
【００２４】
本発明の電子スイッチの動作方法は、被検出体の有無を検出し、電波を検出し、被検出体が検出された場合、第１の出力電圧値を出力し、被検出体が検出されていない場合、第２の出力電圧値を出力し、電波が検出された場合、第３の出力電圧値を出力することを特徴とする。
【００２５】
本発明の電子スイッチおよび動作方法においては、被検出体が検出された場合、第１の出力電圧値が出力され、被検出体が検出されていない場合、第２の出力電圧値が出力され、電波検出手段により電波が検出された場合、第３の出力電圧値が出力される。
【００２６】
被検出体の有無を検出する被検出体検出手段は、例えば、電子スイッチの動作信号弁別回路であり、電波を検出する電波検出手段は、例えば、電波検出回路であり、被検出体検出手段により被検出体が検出された場合、第１の出力電圧値を出力し、被検出体が検出されていない場合、第２の出力電圧値を出力し、電波検出手段により電波が検出された場合、第３の出力電圧値を出力する出力手段は、例えば、出力回路である。
【００２７】
出力回路は、被検出体が検出された場合、電源電圧値または電源電圧値近傍の電圧値を出力し、被検出体が検出されていない場合、接地電圧値または接地電圧値近傍の電圧値を出力し、電波が検出された場合、電源電圧値または電源電圧値近傍の電圧値より小さく、接地電圧値または接地電圧値近傍の電圧値よりも大きな中間電圧値を出力するものと、被検出体が検出された場合、および、被検出体が検出されていない場合、それぞれに異なる電源電圧値もしくは電源電圧値近傍の電圧値と、接地電圧値もしくは接地電圧値近傍の電圧値の間との中間電圧値を出力し、電波が検出された場合、電源電圧値もしくは電源電圧値近傍の電圧値、または接地電圧値もしくは接地電圧値近傍の電圧値を第３の出力電圧値として出力させるようにするものがある。
【００２８】
結果として、電子スイッチの動作状態に応じて、出力される電圧が変化することになるので、出力電圧値に基づいて、遊技球の有無を検出することが可能になると共に、電波が発生していることを検出することがき、電波による誤動作に基づいた不正行為を抑制することが可能となる。
【発明の効果】
【００２９】
本発明によれば、簡単な装置構成で、電子スイッチの強電波による誤動作による不正行為を抑制することが可能となる。
【発明を実施するための最良の形態】
【００３０】
図１は、本発明に係る遊技球検出スイッチ（以下、電子スイッチとも称する）を適用したパチンコ遊技台１１を示している。
【００３１】
パチンコ遊技台１１には、ハンドル１２が、遊技者１と対向する面に設けられており、遊技者により把持され、所定の回転方向に回転されると、遊技者１に対向する面に設けられた盤面内に回転角度に応じた強度で遊技球が発射される。
【００３２】
電子スイッチ２１は、図示せぬ盤面に設けられたチャッカに遊技球が入賞されたか否か、並びに、強電波が付近で発生しているか否か（強電界が検出されたか否か）を検出し、電圧値の信号としてインタフェース回路２２に供給する。電子スイッチ２１は、直流２線式と直流３線式（以下、単に２線式、３線式と称するものとする）とがあり、２線式は、両端子間の差分電圧値によりインタフェース回路２２に信号を供給し、３線式は、出力専用の端子の電圧値によりインタフェース回路２２に信号を供給する。
【００３３】
インタフェース回路２２は、電子スイッチ２１より供給された電圧値の信号の変化に応じて、遊技球が検出されたか否か、および強電波が検出されたか否かを示す信号を生成し制御コンピュータ２３に供給する。
【００３４】
制御コンピュータ２３は、インタフェース回路２２から供給される遊技球が検出されたか否かの情報に基づいて、遊技球が検出された場合、対応する数の遊技球を図示せぬ払出部より払い出す。また、強電波が検出された場合、制御コンピュータ２３は、ホールコンピュータなどに強電波による不正行為が行われていることを通知する。
【００３５】
次に、図２，図３を参照して、電子スイッチ２１の外観構成および動作原理について説明する。電子スイッチ２１は、薄型の略直方体から成り、図２に示すように、電子スイッチ２１の約片側半分の中央部には、遊技球３１を通過させるための貫通穴２１ａが開口している。
【００３６】
図３は、図２の電子スイッチ２１の断面図を示している。
【００３７】
電子スイッチ２１の内部の、貫通穴２１ａの周辺には、図３に示すように、コイル２１ｂが埋め込まれている。電子スイッチ２１では、図示せぬ高周波発振回路が高周波発振を発生することにより、コイル２１ｂの周辺には、図３の点線で示すような磁束が発生する。そして、遊技球３１が貫通穴２を通過したときに、磁束の状態が変化し、コイル２１ｂのインピーダンスが変化する。電子スイッチ２１では、そのコイル２１ｂのインピーダンスの変化を検出し、信号を出力する。なお、遊技球３１が貫通穴２１ｂを通過しているとき（遊技球３１が、図３に示すコイル２１ｂに挟まれる位置にあるとき）に、電子スイッチ２１は開放状態となり、それ以外のときには、閉塞状態となる。
【００３８】
電子スイッチ２１は、特に２線式の場合、機械式のスイッチと同様の感覚で使用可能であり、さらに、電気的にスイッチングすることにより、電子スイッチ２１が出力する信号には、チャタリングが発生しないという利点がある。
【００３９】
次に、図４を参照して、２線式の電子スイッチ２１の一実施の形態の構成について説明する。
【００４０】
電力供給用の端子（高位側端子）Vaは、負荷抵抗R1を介して電源電圧Vcc1に接続されている。電力供給用の端子（低位側端子）Vbは接地されている。
【００４１】
発振回路５１は、コイルL1（図３のコイル２１ｂ）およびコンデンサC1で構成される共振回路を備え、この発振振幅を検波積分回路５２に供給する。
【００４２】
検波積分回路５２は、発振回路５１より供給されてくる発振信号を検波積分処理して動作信号弁別回路５３に供給する。
【００４３】
動作信号弁別回路５３は、検波積分回路５２より供給されてくる検波積分処理された信号に基づいて、遊技球３１の接近が検出されていない場合には、出力回路５７のNPNトランジスタTr2のベースに電流を流し、NPNトランジスタTr2をONの状態にする。一方、遊技球３１が検出された場合、動作信号弁別回路５３は、NPNトランジスタTr2のベースへの電流供給を停止し、NPNトランジスタTr2をOFFの状態にする。
【００４４】
電波検出回路５４は、強電波が検出された場合、増幅回路５５および反転増幅回路５６に電力を供給する。より詳細には、電波検出回路５４は、ラテラル型PNPトランジスタを用いた構造となっており、強電波が検出されると増幅回路５５を介して、出力回路５７のNPNトランジスタTr3のベースに電流を供給すると共に、反転増幅回路５６によるNPNトランジスタTr4のベース電流供給を停止する。
【００４５】
ラテラル型PNPトランジスタは、例えば、図５で示されるような構造のもので、半導体集積回路内にて使用される。
【００４６】
ラテラル型PNPトランジスタにおいては、Ｐ層の上部にＮ層が形成されている。Ｐ層には上面までＰ+領域が設けられている。Ｐ層の上面にはエミッタＥとなるＰ+領域、コレクタＣとなるＰ+領域、及びベースＢとなるＮ+層がそれぞれ形成されている。このラテラル型PNPトランジスタでは、電波が照射されることにより、Ｎ層からＰ層に向かってリーク電流が発生し、ベース電流として作用することによりオン状態となる。しかも、前記ラテラル型PNPトランジスタを使用することにより、電波照射領域に於けるリーク電流の発生可能な範囲Ａを大きくとって感度を高めることが可能となる。
【００４７】
出力回路５７は、動作信号弁別回路５３、増幅回路５５、および反転増幅回路５６より供給される電力により電力供給用の端子Vaと電力供給用の端子Vbとの差分電圧を変化させる。
【００４８】
出力回路５７のPNPトランジスタTr1のエミッタには、電力供給用の端子Vaが接続されており、また、PNPトランジスタTr1のベースは、抵抗R2と、抵抗R3との中間電位が接続されている。さらに、抵抗R2は、電力供給用の端子Vaおよび定電流回路I1に接続されている。また、抵抗R3は、NPNトランジスタTr2，Tr3のコレクタに接続されている。
【００４９】
NPNトランジスタTr1のコレクタは、ツェナーダイオードZD1のカソードに接続されている。ツェナーダイオードZD1のアノードは、ダイオードD1のアノードおよびトランジスタTr4のコレクタに接続されている。ダイオードD1のカソードは、ダイオードD2のアノードに接続されており、ダイオードD2のカソードは接地されている。また、トランジスタTr4のエミッタは、接地されている。
【００５０】
定電流回路I1は、一定の電流値の電力を発振回路５１、検波積分回路５２、動作信号弁別回路５３、および電波検出回路５４に供給すると共に、ツェナーダイオードZD2に供給する。
【００５１】
次に、図４の電子スイッチ２１の動作について説明する。
【００５２】
電波が検出されず、かつ、遊技球３１が検出されていない状態の場合、電波検出回路５４は、NPNトランジスタTr3のベースには電流を流さないため、NPNトランジスタTr3をOFFの状態にすると共に、反転増幅回路５６を介して、NPNトランジスタTr4をONの状態にして、トランジスタTr4のエミッタ−コレクタ間で電流を流す。さらに、動作信号弁別回路５３は、NPNトランジスタTr2のベースに電流を供給する。このため、NPNトランジスタTr2は、ONの状態となる。
【００５３】
そして、抵抗R3を介してPNPトランジスタTr1のベースの電流が流れて、ONの状態となる。この間、ダイオードD1，D2は、NPNトランジスタTr4によりシャントされている。
【００５４】
すなわち、電波が検出されず、かつ、遊技球が検出されない場合、トランジスタTr1，Tr2，Tr4はいずれもONの状態となり、NPNトランジスタTr3はOFFの状態となるので、２線式の電子スイッチ２１の出力端子間電圧（Va−Vb）、所謂残電圧は、以下の式（１）で示されるようにツェナーダイオードZD1の両端電圧値となる。これは、電子スイッチ２１の閉塞動作時の残電圧値がツェナーダイオードZD1の両端電圧となることを示し、電子スイッチ２１が機能するため最低限必要な電圧が、確保される。
【００５５】
V1＝Va−Vb＝VZD1
・・・（１）
【００５６】
ここで、V1は、２線式の電子スイッチ２１の通常閉塞動作時の出力の端子間電圧（Va−Vb）を示している。また、VZD1は、ツェナーダイオードZD1の印加電圧である。
【００５７】
また、電波が検出されず、かつ、遊技球３１が検出された場合、電波検出回路５４は、上述した場合と同様に、NPNトランジスタTr3のベースには電流を流さないため、NPNトランジスタTr3をOFFの状態にすると共に、反転増幅回路５６を介して、NPNトランジスタTr4をONの状態にして、トランジスタTr4のエミッタ−コレクタ間で電流を流す。さらに、動作信号弁別回路５３は、NPNトランジスタTr2のベースに対して電流を供給しない。このため、NPNトランジスタTr2は、OFFの状態となり、NPNトランジスタTr2のコレクタ−エミッタ間には電流が流れないことになり、併せて、PNPトランジスタTr1のベースにも電流が流れないため、PNPトランジスタTr1もOFFの状態となる。
【００５８】
また、NPNトランジスタTr4のエミッタ−コレクタ間で電流が流れるため、ダイオードD1，D2がシャント（迂回）される。
【００５９】
すなわち、電波が検出されず、かつ、遊技球が検出された場合、NPNトランジスタTr4はONの状態となり、トランジスタTr1，Tr2，Tr3はいずれもOFFの状態となるので、電子スイッチ２１内部の電力消費は、定電流回路I1のみとなる。これは、開放動作時の電子スイッチ２１が機能するため最低限必要な定電流回路I1の漏れ電流I1になることを示し、この場合の２線式の電子スイッチ２１の出力端子間電圧（Va−Vb）は、以下の式（２）で示される。
【００６０】
V2＝Va−Vb＝Vcc1−R1×I1
・・・（２）
【００６１】
ここで、V2は、通常開放動作時の２線式の電子スイッチ２１における出力の端子間電圧（Va−Vb）であることを示している。また、Vcc1は、電源電圧Vcc1の出力電圧値であり、R1は、抵抗R1の抵抗値であり、I1は、定電流回路の電流値である。
【００６２】
また、電波が検出された場合、電波検出回路５４は、増幅回路５５を介して、NPNトランジスタTr3のベースに電流を流すため、NPNトランジスタTr3をONの状態にし、トランジスタTr3のエミッタ−コレクタ間で電流を流すと共に、反転増幅回路５６を介して、NPNトランジスタTr4をOFFの状態にする。この結果、動作信号弁別回路５３から出力される電流の有無に関わらず、PNPトランジスタTr1のベースに電流が流れるため、PNPトランジスタTr1はONの状態となる。
【００６３】
また、NPNトランジスタTr4がOFFとなるため、ダイオードD1，D2が駆動する。
【００６４】
すなわち、電波が検出された場合、遊技球３１が検出されるか否かに関わらず、NPNトランジスタTr4はOFFの状態となり、トランジスタTr1，Tr3はいずれもONの状態となるので、電子スイッチ２１としては閉塞動作モードだが、Tr4がOFFするためダイオードD1，D2が有効となり、以下の式（３）で示されるような通常閉塞動作時とは異なる端子間電圧値が示されることになる。
【００６５】
V3＝Va−Vb＝VZD1＋VD1＋VD2
・・・（３）
【００６６】
ここで、V3は、強電界中の２線式の電子スイッチ２１の出力端子間電圧（Va−Vb）であることを示している。また、VZD1は、ツェナーダイオードZD1に印可されている電圧値であり、VD1，VD2は、それぞれダイオードVD1，VD2の両端電圧値である。
【００６７】
さらに、電子スイッチ２１において何らかの原因により断線事故が発生した場合、電圧降下が発生しないことになるので、出力用の端子間電圧（Va−Vb）は電源電圧Vcc1の電圧値Vcc1そのものとなる。
【００６８】
また、電子スイッチ２１において何らかの原因により短絡事故が発生した場合、出力端子間の電位差がなくなるので、出力端子間電圧（Va−Vb）は０となる。
【００６９】
このように、２線式の電子スイッチ２１は、被検出体の有無、および強電界中の状況変化に応じて、上述した式（１）乃至式（３）で示されるV1，V2，V3、または、断線事故もしくは短絡事故によるVcc1，０の出力端子間電圧（Va−Vb）を取り得る。
【００７０】
次に、図６を参照して、上述した２線式の電子スイッチ２１に対応するインタフェース回路２２の一実施の形態の構成について説明する。尚、図４における電子スイッチ２１の構成と共通の構成、または、同一の構成については、同一の符号を付しており、その説明は、適宜省略するものとする。基準電圧作成回路７１は、高位側の出力端子Vaより供給される電圧値に基づいて、４種類の基準となる電圧値を生成し、それぞれ比較回路COM1乃至COM４の負入力端子に供給する。
【００７１】
比較回路COM１乃至COM４は、それぞれの負入力端子に基準電圧作成回路７１より供給されてくる４種類の基準となる電圧値と、正入力端子に入力される出力端子Vaより供給される電圧値とを比較し、比較結果を制御コンピュータ２３の端子V10乃至V13に供給する。
【００７２】
電子スイッチ２１の低位側の出力端子Vbは接地電位に接続される。また、基準電圧作成回路７１は、抵抗R1および電源電圧Vcc1の間の位置から接地電位までの間に、抵抗R4、定電流回路I2、ダイオードD3，D4，D5、およびツェナーダイオードZD3の順で直列に配置された回路であり、抵抗R4と定電流回路I2との中間電位となる電圧値V4が、比較回路COM1の負入力端子に供給される。また、定電流回路I2とダイオードD3との中間電位となる電圧値V5が、比較回路COM2の負入力端子に供給される。
【００７３】
さらに、ダイオードD4，D5間の中間電位となる電圧値V7が、比較回路COM3の負入力端子に供給される。また、ダイオードD5とツェナーダイオードZD3との間の中間電位（電圧値V8）よりダイオードD6を介して電圧値V9が、比較回路COM4の負入力端子に供給される。尚、ここで、ダイオードD3，D4間の中間電位については、電圧値V6であるものとする。
【００７４】
さらに、上述したツェナーダイオードZD1（図４）と、ツェナーダイオードZD3とが同一であり、定電流回路I1（図４）と定電流回路I2（図６）とが同一であり、ダイオードD1，D2（図４）と、ダイオードD3，D4，D5，D6とがそれぞれ同一のものを使用している。
【００７５】
また、抵抗R4は、抵抗R1より抵抗が小さい。このため、定電流回路I1，I2が同特性であるので、抵抗R4と定電流回路I2との中間電位となる電圧値V4は、通常開放動作時の２線式の電子スイッチ２１における出力端子間電圧（Va−Vb）の電圧値V2よりも大きくなる（V4＞V2）。
【００７６】
さらに、上述した電圧値V4乃至V9は、以下の式（４）乃至式（９）で示される。
【００７７】
V4＝Vcc1−R4×I2              （V4＞V2）
・・・（４）
【００７８】
V5＝VZD3＋VD3＋VD4＋VD5    （V5＞V3）
・・・（５）
【００７９】
V6＝VZD3＋VD4＋VD5          （V6≒V3）
・・・（６）
【００８０】
V7＝VZD3＋VD5                （V3＞V7  ＆  V7＞V1）
・・・（７）
【００８１】
V8＝VZD3                      （V1≒V8）
・・・（８）
【００８２】
V9＝VZD3−VD6                （V1＞V9）
・・・（９）
【００８３】
ここで、VD3乃至VD6は、ダイオードD3乃至D6の両端電圧であり、VZD1，VZD3は、それぞれツェナーダイオードZD1，ZD3の両端電圧である。
【００８４】
各電圧値V1乃至V9の大小関係は、電源電圧Vcc1の電圧値Vcc1の変動や周囲関係変化によらず、図７で示されるように常に一定に保たれることになる。
【００８５】
図７は、横軸を電源電圧Vcc1、縦軸を出力端子Vaの電圧としたとき、上述した電圧値V1乃至V9の大小関係を示したものである。尚、出力端子Vbは、接地されるため、実質的に出力端子Vaの電圧値VINが、出力端子間電圧であると考えてよいことになる。
【００８６】
電圧値Vcc1およびV1乃至V9の大小関係は、電源電圧Vcc1の電圧値Vcc1の変動や周囲関係変化によらず、大きい方から電圧値Vcc1，V4，V2，V5，V3，V7，V1，V9の順位となる。ここで、電圧値V2，V4は、電源電圧Vcc1に追従することにより、電圧値Vcc1の変化に応じて右上がりとなるが、大小関係は維持される。尚、電源電圧Vcc1は、電子スイッチ２１の定格印加電圧として、図７の電圧値Vm乃至Vnの範囲が考慮されればよいものである。
【００８７】
また、ダイオードD1乃至D6が同一であり、ツェナーダイオードZD1，ZD3が同一のものである。従って、両端電圧VD1乃至VD6がVD1＝VD2＝VD3＝VD4＝VD5＝VD6＝VDであり、両端電圧VZD1，VZD3が、VZD1＝VZD3＝VZDであるものとすると、電圧値V5，V3，V7，V1，V9は、それぞれVZD＋3VD，VZD＋2VD，VZD＋VD，VZD，VZD−VDとなる。結果として、電圧値V5と電圧値V3との電位差（V5−V3）、電圧値V3と電圧値V7との電位差（V3−V7）、電圧値V7と電圧値V1との電位差（V7−V1）、および電圧値V1と電圧値V9との電位差（V1−V9）は、いずれもVD（＝αV：図７）となる。
【００８８】
比較回路COM1乃至COM4の負入力端子に供給される電圧値は、電圧値V4，V5，V7，V9である（それぞれ図７の点線で示される電圧値である）ので、比較回路COM1乃至COM4は、それぞれ出力端子VINの電圧値VINと電圧値V4，V5，V7，V9との比較結果をそれぞれ制御コンピュータ２３の端子V10乃至V13に出力することになる。
【００８９】
ここで、上述したように電子スイッチ２１の出力端子間電圧（Va−Vb）（今の場合、出力端子Va（＝VIN）の電圧値そのもの）は、上述した電圧V1乃至V3，Vcc1、または０の５種類の値を取り得る事がわかっているので、比較回路COM1乃至COM４の比較結果となる制御コンピュータ２３の端子V10乃至V13に入力される信号のパターンは、図８で示されるような５つのパターンに分類されることになる。図８においては、左から動作モードのモード番号（No.）、電子スイッチ２１の動作状態、および対応する端子V10乃至V13のHi（Vcc1）またはLow（０）が示されている。
【００９０】
通常閉塞動作であって、遊技球３１を検出せず、かつ、電波を検出していない動作モード１の場合、電圧値VIN（＝Va）が上述した式（１）により示される電圧値V1となるので、比較結果となる制御コンピュータ２３の端子V10乃至V13に入力される信号のパターンは、図７で示されるように、電圧値V9と比較する比較回路COM４についてはHiとなるが、それ以外の比較回路COM1乃至COM3については、Lowとなる。
【００９１】
また、通常開放動作であって、遊技球３１を検出して、かつ、電波を検出していない動作モード２の場合、電圧値VIN（＝Va）は、上述した式（２）により示される電圧値V2となるので、比較結果となる制御コンピュータ２３の端子V10乃至V13に入力される信号のパターンは、図７で示されるように、電圧値V4と比較する比較回路COM1についてはLowとなるが、それ以外の比較回路COM2乃至COM4については、Hiとなる。
【００９２】
さらに、遊技球３１の検出の有無に関わらず、電波を検出した動作モード３の場合、電圧値VIN（＝Va）は、上述した式（３）により示される電圧値V3となるので、比較結果となる制御コンピュータ２３の端子V10乃至V13に入力される信号のパターンは、図７で示されるように、電圧値V7，V9と比較する比較回路COM3，4についてはHiとなるが、それ以外の比較回路COM1，2についてはLowとなる。
【００９３】
また、断線事故が発生している動作モード４の場合、電圧値VINは、上述したように電圧値Vcc1となるので、比較結果となる制御コンピュータ２３の端子V10乃至V13に入力される信号のパターンは、図７で示されるように、電圧値V4，V5，V7，V9と比較する比較回路COM1乃至4についてはいずれもHiとなる。
【００９４】
さらに、短絡事故が発生している動作モード５の場合、電圧値VIN（＝Va）は、上述したように電圧値0となるので、比較結果となる制御コンピュータ２３の端子V10乃至V13に入力される信号のパターンは、図７で示されるように、電圧値V4，V5，V7，V9と比較する比較回路COM1乃至4についてはいずれもLowとなる。
【００９５】
次に、２線式の電子スイッチ２１を用いた場合の制御コンピュータ２３について説明する。
【００９６】
制御コンピュータ２３は、インタフェース回路２２より端子V10乃至V13に供給されてくる信号のパターンに基づいて、遊技球３１の検出処理を実行する。
【００９７】
制御コンピュータ２３は、端子V10乃至V13に供給されてくる信号のパターンが（V10，V11，V12，V13）＝（Low，Low，Low，Hi）であるとき、動作モードを図８のモードナンバー１にセットし、遊技球３１を検出せず、かつ、電波を検出していない状態であることを認識する。
【００９８】
また、制御コンピュータ２３は、端子V10乃至V13に供給されてくる信号のパターンが（V10，V11，V12，V13）＝（Low，Hi，Hi，Hi）である場合、動作モードを図８のモードナンバー２にセットし、遊技球３１を検出して、かつ、電波を検出していない状態であることを認識する。すなわち、このとき、制御コンピュータ２３は、遊技球３１が入賞されたことを認識し、対応する所定数の遊技球が払い出される等の処理を実行することになる。
【００９９】
さらに、制御コンピュータ２３は、端子V10乃至V13に供給されてくる信号のパターンが（V10，V11，V12，V13）＝（Low，Low，Hi，Hi）である場合、動作モードを図８のモードナンバー３にセットし、電波が検出された状態であることを認識する。すなわち、このとき、制御コンピュータ２３は、強電界を発生する不正行為がなされていることを認識し、例えば、ホールコンピュータに通知したりするなどして、不正行為の発生を遊技店の係員などに報告する。
【０１００】
また、制御コンピュータ２３は、端子V10乃至V13に供給されてくる信号のパターンが（V10，V11，V12，V13）＝（Hi，Hi，Hi，Hi）である場合、動作モードを図８のモードナンバー４にセットし、断線事故が発生した状態であることを認識する。すなわち、このとき、制御コンピュータ２３は、断線事故が発生していることを認識し、例えば、ホールコンピュータに通知したりするなどして、断線事故の発生を遊技店の係員などに報告する。
【０１０１】
さらに、制御コンピュータ２３は、端子V10乃至V13に供給されてくる信号のパターンが（V10，V11，V12，V13）＝（Low，Low，Low，Low）である場合、動作モードを図８のモードナンバー５にセットし、短絡事故が発生した状態であることを認識する。すなわち、このとき、制御コンピュータ２３は、短絡事故が発生していることを認識し、例えば、ホールコンピュータに通知したりするなどして、短絡事故の発生を遊技店の係員などに報告する。
【０１０２】
以上の処理により、電子スイッチ２１の電力供給用の端子の差分電圧を変化させることにより、インタフェース回路２２の判定パターンに基づいて、正常動作時の遊技球３１の有無を示す２通りの情報に加えて、電波検出情報、断線事故、並びに短絡事故の有無を検出することが可能となる。
【０１０３】
次に、図９のフローチャートを参照して、図４の電子スイッチ２１による出力端子間電圧の切替処理について説明する。
【０１０４】
ステップＳ１において、動作信号弁別回路５３および電波検出回路５４は、電波が検出されず、かつ、遊技球が検出されているか否かを判定し、電波が検出されず、かつ、遊技球が検出されていない場合、判定結果に基づいた信号を出力回路５７に供給すると共に、その処理は、ステップＳ２に進み、電波が検出されたか、または、遊技球が検出された場合、その処理は、ステップＳ３に進む。
【０１０５】
ステップＳ２において、出力回路５７においては、動作信号弁別回路５３および電波検出回路５４より供給されてくる信号に従って、トランジスタTr1，Tr2，Tr4がONとなりTr3が、OFFとなる。結果として、出力回路５７は、出力端子電位差（Va−Vb）を電圧値V1に切り替えて出力する。
【０１０６】
ステップＳ３において、動作信号弁別回路５３および電波検出回路５４は、電波が検出されず、かつ、遊技球が検出されているか否かを判定し、電波が検出されず、かつ、遊技球が検出されている場合、判定結果に基づいた信号を出力回路５７に供給すると共に、その処理は、ステップＳ４に進み、電波が検出されたか、または、遊技球が検出された場合、その処理は、ステップＳ５に進む。
【０１０７】
ステップＳ４において、出力回路５７においては、動作信号弁別回路５３および電波検出回路５４より供給されてくる信号に従って、出力回路５７のトランジスタTr1乃至Tr3がOFFとなりTr4が、ONとなる。結果として、出力回路５７は、出力端子電位差（Va−Vb）を電圧値V2に切り替えて出力する。
【０１０８】
ステップＳ５において、電波検出回路５４は、電波が検出されたか否かを判定し、電波が検出された場合、判定結果に基づいた信号を出力回路５７に供給すると共に、その処理は、ステップＳ６に進み、電波が検出されていない場合、その処理は、ステップＳ７に進む。
【０１０９】
ステップＳ６において、出力回路５７においては、電波検出回路５４より供給されてくる信号に従って、出力回路５７のトランジスタTr4がOFFとなりTr1，Tr3が、ONとなる（トランジスタTr2の状態は問われない）。結果として、出力回路５７は、出力端子電位差（Va−Vb）を電圧値V2に切り替えて出力する。
【０１１０】
ステップＳ７において、断線事故が発生しているか否かが判定され（実際に判定処理は、いずれにおいてもされないが条件として判定がなされているものとする）、断線事故が発生している場合、その処理は、ステップＳ８に進み、断線事故が発生していない場合、その処理は、ステップＳ９に進む。
【０１１１】
ステップＳ８において、電子スイッチ２１内で断線事故が発生しているということは、出力端子電位差（Va−Vb）が電源電圧Vcc1の電圧値Vcc1が出力されることになる。
【０１１２】
ステップＳ９において、短絡事故が発生しているか否かが判定され（実際に判定処理は、いずれにおいてもされないが条件として判定がなされているものとする）、短絡事故が発生している場合、その処理は、ステップＳ１０に進み、断線事故が発生していない場合、その処理は、ステップＳ１に戻る。
【０１１３】
ステップＳ１０において、電子スイッチ２１内で短絡事故が発生しているということは、出力端子電位差（Va−Vb）が短絡しているので、０が出力されることになる。
【０１１４】
以上によれば、出力回路５７により２線式の電子スイッチ２１の動作状態に応じて、電源電圧値より小さく、接地電圧値より大きな、少なくとも１つ以上の中間電圧値を変化させて、被検出体である遊技球が検出された場合、電源電圧値または電源電圧値近傍の電圧値を出力し、遊技球が検出されていない場合、接地電圧値または接地電圧値近傍の電圧値を出力し、電波が検出された場合、電源電圧値または電源電圧値近傍の電圧値より小さく、接地電圧値または接地電圧値近傍の電圧値よりも大きな中間電圧値を出力するようにしたので、強電波を用いた不正行為を抑制させることが可能となる。
【０１１５】
また、電子スイッチ２１の出力電圧値V1，V3については、ダイオード、ツェナーダイオードなど、定電圧素子で構成されるため、外部のインピーダンス、印加電圧変動等の影響を受けないので、正確に設定することが可能となる。一方、出力電圧値V2については、Vcc1との差分（R1×I1）が周囲環境の影響を受けない固定電圧値とすることが可能となる。
【０１１６】
さらに、図７で示されるように、電子スイッチ２１出力電圧値の通常閉塞電圧値V1については電圧値V7と電圧値V9とで、電波が検出される時の出力電圧値V3については電圧値V5と電圧値V7で、それぞれ上下限が設定された状態で判定されている。結果として、正常と認識する領域を制限することが可能になると共に、断線事故認識領域（電源電圧Vcc1と電圧値V4との間）と、短絡事故認識領域（電圧値V9と接地電圧値0の間）とが設定されることになるため、遊技球３１の有無の検出、および強電波による不正行為を認識するのみならず、断線事故および短絡事故を検出することが可能となる。
【０１１７】
尚、開放動作出力電圧値を上下限判定する場合（電圧値V2であるか否かを上下限判定する場合）、図１０で示されるように抵抗R6を定電流回路I2と抵抗R4との間に設け、定電流回路I2と抵抗R6との中間電位を、新たに設ける比較回路COM5の負入力端子に入力し、比較回路COM５にて、電圧値VINと比較させ、これまでの端子V10乃至V13に加えて、さらに図示せぬ端子V14を制御コンピュータ２３に設けて、供給させるようにすればよい。また、この場合、抵抗R6は、抵抗値（R4＋R6）（R4，R6はそれぞれ抵抗R4，R6の抵抗値）が抵抗R1の抵抗値R1より大きくなるよう調整する必要がある。結果として、図７で示されるように、電圧値V2より小さく、電圧値V5より大きな電圧値V14が設定される。また、この場合、比較回路COM5の動作モード１乃至５に対応するパターンは、動作モード（１，２，３，４，５）＝（Low，Hi，Low，Hi，Low）となる。ここで、図１０においては、図６のインタフェース回路２２における抵抗R4、定電流回路I2、比較回路COM1，COM2の構成部分における拡大図が示されており、新たに比較回路COM5が設けられる場合の例が示されている。
【０１１８】
また、電圧値V1，V3の判定閾値は、上下の境界となる電圧値V9，V7，V5，との差分αが、ばらつき許容範囲の許す限り接近していることが望ましい（例えば、図７における差分α＝約0.6V程度）。これは、差分αが接近しているほど、電子スイッチ２１の出力回路５７の特性と、インタフェース回路２２の基準電圧作成回路７１の特性とを合致したものとすることが必要となる。すなわち、電圧値V1と電圧値V8、および電圧値V3と電圧値V6とが同値である必要がある。結果として、不正な電子スイッチ２１が、インタフェース回路２２に接続されるようなことが万が一あったとしても、遊技球３１が検出されたかのような動作をさせることが困難なものとなるため、不正行為を抑制させることが可能となる。
【０１１９】
以上においては、２線式の電子スイッチ２１の例について説明してきたが、３線式の電子スイッチ２１においても、遊技球３１の有無の検出に加えて、電波の検出の有無を併せて検出させるようにすることができる。
【０１２０】
図１１は、遊技球３１の有無の検出に加えて、電波の検出の有無を併せて検出できるようにした３線式の電子スイッチ２１の一実施の形態の構成を示している。尚、図４における電子スイッチ２１の構成と同一の構成については、同一の符号を付しており、その説明は、適宜省略するものとする。
【０１２１】
図１１の３線式の電子スイッチ２１において、図４の２線式の電子スイッチ２１と異なる点は、電源電圧Vcc1、定電流回路I1およびツェナーダイオードZD2、動作信号弁別回路５３、並びに、出力回路５７に代えて、電源電圧Vcc2、定電圧回路１０１、動作信号弁別回路１０３、並びに出力回路１０２を備えている点が挙げられる。
【０１２２】
また、動作信号弁別回路１０３は、基本的には、動作信号弁別回路５３と同様の動作をするものであるが、遊技球３１が検出されている場合と検出されていない場合とで処理が入れ替わっており、検波積分回路５２より供給されてくる検波積分処理された信号に基づいて、遊技球３１の接近が検出されている場合には、出力回路１０２のNPNトランジスタTr12のベースに電流を供給し、NPNトランジスタTr12をONの状態にする。一方、遊技球３１が検出されていない場合、動作弁別回路５３は、NPNトランジスタTr12のベースへの電流供給を停止し、NPNトランジスタTr12をOFFの状態にする。
【０１２３】
尚、電波検出回路５４については、図４においては、増幅回路５５、および反転増幅回路５６に出力していた信号と同様の信号を、出力回路１０２のNPNトランジスタTr11に供給している。結果として、電波検出回路５４は、電波を検出したとき、トランジスタTr11のベースに電流を流すことにより、トランジスタTr11をONにし、電波を検出していないとき、トランジスタTr11をOFFにする。
【０１２４】
出力回路１０２は、端子Va，GNDより電力供給を受けて、動作信号弁別回路１０３および電波検出回路５４からの信号に基づいて、動作状態を示す電圧値を生成して、端子Voutより出力する。ここで、端子GNDは、接地されている。また、端子Voutは、抵抗R13によりプルアップされている。
【０１２５】
出力回路１０２の端子VaにダイオードD13のアノードが接続されている。また、ダイオードD13のカソードは、直列に接続された抵抗R11，R12を介して、端子GNDに接続されている。抵抗R11，R12の中間位置には、端子Vout、ダイオードD14のアノード、およびNPNトランジスタTr11のコレクタが接続されている。ダイオードD14のカソードは、NPNトランジスタTr12のコレクタに接続されている。NPNトランジスタTr12のエミッタは端子GNDに接続されている。さらに、NPNトランジスタTr11のエミッタは、端子GNDに接続されている。
【０１２６】
すなわち、抵抗R12に対して並列に、ダイオードD14およびNPNトランジスタTr12のコレクタ−エミッタが接続されており、さらに、同様にして、抵抗R12に対して並列に、NPNトランジスタTr11のコレクタ−エミッタが接続されている。従って、電波検出回路５４において、電波が検出されると、トランジスタTr11がONにされるため、端子Voutは、遊技球３１の検出の有無に関わらず、端子GNDと同電位となる。また、抵抗R12は、抵抗R11，R13と比べて十分に大きな値とする。
【０１２７】
次に、図１１の電子スイッチ２１の動作について説明する。
【０１２８】
電波が検出されず、かつ、遊技球３１が検出されていない状態の場合、電波検出回路５４は、NPNトランジスタTr11のベースには電流を流さないため、NPNトランジスタTr11をOFFの状態にする。さらに、動作信号弁別回路１０３は、NPNトランジスタTr12のベースに電流を流さない。このため、NPNトランジスタTr12も、OFFの状態になる。また、上述したように、抵抗R12は、抵抗R11，R13と比べて十分に大きな値であるので、端子Voutの電位は、以下の式（１０）で示されるように示される。
【０１２９】
V21＝Vcc2−VD13
・・・（１０）
【０１３０】
ここで、V21は、電波が検出されず、かつ、遊技球３１が検出されている状態の場合における端子Voutの電圧値であり、Vcc2は、電源電圧Vcc2の電圧値であり、VD11は、ダイオードD11の両端電圧である。
【０１３１】
また、電波が検出されず、かつ、遊技球３１が検出された場合、電波検出回路５４は、上述した場合と同様に、NPNトランジスタTr11のベースには電流を流さないため、NPNトランジスタTr11をOFFの状態にする。さらに、動作信号弁別回路５３は、NPNトランジスタTr12のベースに対して電流を供給する。このため、NPNトランジスタTr12は、ONの状態となる。このとき、上述したように、抵抗R12は、抵抗R11，R13と比べて十分に大きな値であるので、ダイオードD14に電圧が印可され、以下の式（１１）で示されるように示される。
【０１３２】
V22≒VD14
・・・（１１）
【０１３３】
ここで、V22は、電波が検出されず、かつ、遊技球３１が検出された状態の場合における端子Voutの電圧値であり、VD12は、ダイオードD12の印可電圧である。
【０１３４】
また、電波が検出された場合、電波検出回路５４は、NPNトランジスタTr11のベースに電流を流すため、NPNトランジスタTr11をONの状態にする。この結果、動作信号弁別回路１０３から出力される電流の有無に関わらず、端子Vout−GND間が短絡されることになる。結果として、端子Voutの電圧値は、以下の式（１２）で示されるようになる。
【０１３５】
V23＝０
・・・（１２）
【０１３６】
ここで、V23は、電波が検出された状態の場合における端子Voutの電位である。
【０１３７】
さらに、電子スイッチ２１において何らかの原因により断線事故、または、端子Va，Vout間で短絡事故が発生した場合、抵抗R12は、抵抗R11，R13と比べて十分に大きな値であるので、端子Voutの電位は、Vcc2近傍の値となる。
【０１３８】
また、電子スイッチ２１において何らかの原因により端子GND，Vout間で短絡事故が発生した場合、端子Voutの電位は、０となる。
【０１３９】
このように、３線式の電子スイッチ２１は、被検出体の有無、および強電界中の状況変化に応じて、上述した式（１０）乃至式（１２）で示されるV21，V22，V23、または、断線事故もしくは短絡事故によるVcc2，０の電位を取り得る。
【０１４０】
次に、図１２を参照して、３線式の電子スイッチ２１に対応するインタフェース回路２２の構成について説明する。尚、図１１における電子スイッチ２１の構成と共通の構成、または、同一の構成については、同一の符号を付しており、その説明は、適宜省略するものとする。基準電圧作成回路１１１は、端子Voutより供給される電圧値に基づいて、４種類の基準となる電圧値を生成し、それぞれ比較回路COM11乃至COM1４の負入力端子に供給する。
【０１４１】
比較回路COM11乃至COM14は、それぞれの負入力端子に基準電圧作成回路１１１より供給されてくる４種類の基準となる電圧値と、正入力端子に入力される端子Voutより供給される電圧値とを比較し、比較結果を制御コンピュータ２３の端子V31乃至V34に供給する。
【０１４２】
基準電圧作成回路１１１は、電源電圧Vcc2から接地電位までの間に、抵抗R21乃至R27が、その順で直列に接続され、抵抗R21と抵抗R22との中間電位となる電圧値V24が、比較回路COM11の負入力端子に供給される。抵抗R23と抵抗R24との中間電位となる電圧値V26が、比較回路COM12の負入力端子に供給される。抵抗R24と抵抗R25との中間電位となる電圧値V27が、比較回路COM13の負入力端子に供給される。さらに、抵抗R26と抵抗R27との中間電位となる電圧値V29が、比較回路COM14の負入力端子に供給される。
【０１４３】
さらに、PNPトランジスタTr21のエミッタが電源電圧Vcc2に接続され、ベースが抵抗R22と抵抗R23との中間電位（電圧値V25の同電位の位置）に接続される。また、PNPトランジスタTr21のコレクタは、抵抗R23と抵抗R24との中間電位に接続される。尚、このPNPトランジスタTr21のコレクタが接続される位置の電位は、電圧値V26と称するものとする。
【０１４４】
また、NPNトランジスタTr22のコレクタが抵抗R24と抵抗R25との中間電位（電圧値V27の同電位の位置）に接続され、ベースが抵抗R25と抵抗R26との中間電位に接続される。尚、このNPNトランジスタTr22のベースが接続される位置の電位は、電圧値V28と称するものとする。
【０１４５】
抵抗R21乃至R23、および抵抗R25乃至R27は同一である。また、ダイオードD13（図１１）とPNPトランジスタTr21のベース−エミッタ間電圧Vbeとが、ダイオードD14（図１１）とPNPトランジスタTr22のベース−エミッタ間電圧Vbeとが、それぞれ同特性のものが使用されている。尚、特性共通化の目的で、図１１におけるダイオードD13，D14に替えて、PNPトランジスタTr21、NPNトランジスタTr22のエミッタ−ベース接合ダイオードを使用するようにしてもよい。
【０１４６】
さらに、抵抗R21乃至R23および抵抗R25乃至R27がそれぞれ同一であり、電源電圧Vcc2−V25間電圧がPNPトランジスタTr21のベース−エミッタ間電圧Vbeとなり、接地電位GND−V28間電圧がNPNトランジスタTr22のベース−エミッタ間電圧Vbeとなることから、基準電圧作成回路１１１における電圧値V24乃至V29は、以下の式（１３）乃至式（１８）で示される。
【０１４７】
V24＝Vcc2−0.5×Vbe            （V24＞V21）
・・・（１３）
【０１４８】
V25＝Vcc2−Vbe                （V25≒V21）
・・・（１４）
【０１４９】
V26＝Vcc2−1.5×Vbe            （V21＞V26）
・・・（１５）
【０１５０】
V27＝1.5×Vbe                  （V27＞V22）
・・・（１６）
【０１５１】
V28＝Vbe                      （V28≒V22）
・・・（１７）
【０１５２】
V29＝0.5×Vbe                  （V29＞V23  ＆  V22＞V29）
・・・（１８）
【０１５３】
従って、各電圧値V21乃至V29の大小関係は、電源電圧Vcc2の電圧値Vcc2の変動や周囲関係変化によらず、図１３で示されるように常に一定に保たれることになる。
【０１５４】
図１３は、横軸を電源電圧Vcc2、縦軸を端子Voutの電圧としたとき、上述した電圧値V21乃至V29の大小関係を示したものである。また、電子スイッチ２１の端子Voutの電圧値は、断線事故が無い限りインタフェース回路２２の電圧値VINの電圧値と同一である。
【０１５５】
電圧値Vcc2およびV21乃至V29の大小関係は、電源電圧Vcc2の電圧値Vcc2の変動や周囲関係変化によらず、大きい方から電圧値Vcc2，V24，V21（＝V25），V26，V27，V22（＝V28），V29，V23の順位となる。ここで、電圧値V24乃至V26は、電源電圧Vcc2に追従することにより、電圧値Vcc2の変化に応じて右上がりとなるが、大小関係は維持される。尚、電源電圧Vcc2は、電子スイッチ２１の定格印加電圧として、図１３の電圧値Vm乃至Vnの範囲が考慮されればよいものである。
【０１５６】
また、上述したようにR21乃至R23およびR25乃至R27が同一であり、PNPトランジスタTr21のベース−エミッタ間電圧Vbeと、NPNトランジスタTr22のベース−エミッタ間電圧Vbeとが同一である。結果として、電圧値V24と電圧値V25との電位差（V24−V25）、電圧値V25と電圧値V26との電位差（V25−V26）、電圧値V27と電圧値V28との電位差（V27−V28）、および電圧値V28と電圧値V29との電位差（V28−V29）は、いずれも0.5Vbe（＝β：図１３）となる。
【０１５７】
比較回路COM11乃至COM14の負入力端子に供給される電圧値は、電圧値V24，V26，V27，V29である（それぞれ図１３の点線で示される電圧値である）ので、比較回路COM11乃至COM14は、それぞれ端子VINの電圧値VINと電圧値V24，V26，V27，V29との比較結果をそれぞれ制御コンピュータ２３の端子V31乃至V34に出力することになる。
【０１５８】
ここで、上述したように図１１の電子スイッチ２１の端子Voutは、上述した電圧V21乃至V23，Vcc2、または０の５種類の値を取り得る事がわかっているので、比較回路COM11乃至COM14の比較結果となる制御コンピュータ２３の端子V31乃至V34に入力される信号のパターンは、図１４で示されるような４つのパターンに分類されることになる。
【０１５９】
遊技球３１を検出し、かつ、電波を検出していない動作モード１の場合、電圧値VIN（＝Vout）が上述した式（１１）により示される電圧値V22となるので、比較結果となる制御コンピュータ２３の端子V31乃至V34に入力される信号のパターンは、図１４で示されるように、電圧値V29と比較する比較回路COM14についてはHiとなるが、それ以外の比較回路COM11乃至COM13については、Lowとなる。
【０１６０】
また、遊技球３１を検出せず、かつ、電波を検出していない動作モード２の場合、電圧値VIN（＝Vout）は、上述した式（１０）により示される電圧値V21となるので、比較結果となる制御コンピュータ２３の端子V31乃至V34に入力される信号のパターンは、図１４で示されるように、電圧値V24と比較する比較回路COM11についてはLowとなるが、それ以外の比較回路COM12乃至COM14については、Hiとなる。
【０１６１】
さらに、断線事故や端子Va，Vout間が短絡されている動作モード３の場合、電圧値VINは、上述したように電圧値Vcc2となるので、比較結果となる制御コンピュータ２３の端子V31乃至V34に入力される信号のパターンは、図１４で示されるように、電圧値V24，V25，V27，V29と比較する比較回路COM11乃至14についてはいずれもHiとなる。
【０１６２】
また、遊技球３１の検出の有無に関わらず、電波が検出されたり、端子GND，Vout間が短絡したときの動作モード４の場合、電圧値VIN（＝Vout）は、上述した式（１２）により示される電圧値V23となるので、比較結果となる制御コンピュータ２３の端子V31乃至V34に入力される信号のパターンは、図１４で示されるように、電圧値V24，V25，V27，V29と比較する比較回路COM11乃至14についてはいずれもLowとなる。
【０１６３】
次に、３線式の電子スイッチ２１を用いた場合の制御コンピュータ２３について説明する。
【０１６４】
制御コンピュータ２３は、インタフェース回路２２より端子V31乃至V34に供給されてくる信号のパターンに基づいて、遊技球３１の検出処理を実行する。
【０１６５】
制御コンピュータ２３は、端子V31乃至V34に供給されてくる信号のパターンが（V31，V32，V33，V34）＝（Low，Low，Low，Hi）であるとき、動作モードを図１４のモードナンバー１にセットし、遊技球３１を検出し、かつ、電波を検出していない状態であることを認識する。すなわち、このとき、制御コンピュータ２３は、遊技球３１が入賞されたことを認識し、対応する所定数の遊技球が払い出される等の処理を実行することになる。
【０１６６】
また、制御コンピュータ２３は、端子V31乃至V34に供給されてくる信号のパターンが（V31，V32，V33，V34）＝（Low，Hi，Hi，Hi）である場合、動作モードを図１４のモードナンバー２にセットし、遊技球３１を検出せず、かつ、電波を検出していない状態であることを認識する。
【０１６７】
さらに、制御コンピュータ２３は、端子V31乃至V34に供給されてくる信号のパターンが（V31，V32，V33，V34）＝（Hi，Hi，Hi，Hi）である場合、動作モードを図１４のモードナンバー３にセットし、断線事故または端子Va，Vout間に短絡事故が発生していることを認識し、例えば、ホールコンピュータに通知したりするなどして、断線事故や短絡事故の発生を遊技店の係員などに報告する。
【０１６８】
さらに、制御コンピュータ２３は、端子V31乃至V34に供給されてくる信号のパターンが（V31，V32，V33，V34）＝（Low，Low，Low，Low）である場合、動作モードを図１４のモードナンバー４にセットし、電波が検出されたか、または端子GND，Vout間に短絡事故が発生した状態であることを認識する。すなわち、このとき、制御コンピュータ２３は、電波が検出されたこと、または、短絡事故が発生していることを認識し、例えば、ホールコンピュータに通知したりするなどして、短絡事故の発生を遊技店の係員などに報告する。
【０１６９】
以上の処理により、電子スイッチ２１の出力端子電圧を変化させることにより、インタフェース回路２２の判定パターンに基づいて、正常動作時の遊技球３１の有無を示す２通りの情報に加えて、電波検出情報、断線事故、並びに短絡事故の有無を検出することが可能となる。
【０１７０】
次に、図１５のフローチャートを参照して、図１１の電子スイッチ２１による端子Voutの出力電圧値の切替処理について説明する。
【０１７１】
ステップＳ２１において、動作信号弁別回路１０３および電波検出回路５４は、電波が検出されず、かつ、遊技球が検出されているか否かを判定し、電波が検出されず、かつ、遊技球が検出されている場合、判定結果に基づいた信号を出力回路１０２に供給すると共に、その処理は、ステップＳ２２に進み、電波が検出されたか、または、遊技球が検出されていない場合、その処理は、ステップＳ２３に進む。
【０１７２】
ステップＳ２２において、出力回路１０２においては、動作信号弁別回路１０３および電波検出回路５４より供給されてくる信号に従って、トランジスタTr11がOFFとなりTr12が、ONとなる。結果として、出力回路１０２は、端子Voutの出力電圧値V21に切り替えて出力する。
【０１７３】
ステップＳ２３において、動作信号弁別回路１０３および電波検出回路５４は、電波が検出されず、かつ、遊技球が検出されていないか否かを判定し、電波が検出されず、かつ、遊技球が検出されていない場合、判定結果に基づいた信号を出力回路１０２に供給すると共に、その処理は、ステップＳ２４に進み、電波が検出されたか、または、遊技球が検出された場合、その処理は、ステップＳ２５に進む。
【０１７４】
ステップＳ２４において、出力回路１０２においては、動作信号弁別回路１０３および電波検出回路５４より供給されてくる信号に従って、トランジスタTr11，Tr12，がOFFとなる。結果として、出力回路１０２は、端子Voutの出力電圧値V22に切り替えて出力する。
【０１７５】
ステップＳ２５において、断線事故、または、端子Va，Vout間で短絡が発生しているか否かが判定され（実際に判定処理は、いずれにおいてもされないが条件として判定がなされているものとする）、断線事故、または、端子Va，Vout間で短絡が発生している場合、その処理は、ステップＳ２６に進み、断線事故が発生していない場合、その処理は、ステップＳ２７に進む。
【０１７６】
ステップＳ２６において、電子スイッチ２１内で断線事故、または、端子Va，Vout間で短絡が発生しているが発生しているということは、端子VINより電源電圧Vcc2の電圧値Vcc2が出力されることになる。
【０１７７】
ステップＳ２７において、電波が検出されたか、または、端子GND，Vout間で短絡が発生したか否かが判定され、電波が検出されたか、または、端子GND，Vout間で短絡が発生した場合、その処理は、ステップＳ２８に進み、電波が検出されていない場合、その処理は、ステップＳ１に戻る。
【０１７８】
ステップＳ２８において、電子スイッチ２１内で電波が検出されたか、または、端子GND，Vout間で短絡が発生したが発生しているということは、端子Voutからは０が出力されることになる。
【０１７９】
尚、遊技球が検出されていないときの電圧値V21については電圧値V24と電圧値V26とで、検出時の電圧値V22については電圧値V27と電圧値V29とで、それぞれ上下限判定がなされており、電波検出時の電圧値V23については電圧値V29の閾値弁別が実施されている。図７おける場合と同様に、判定閾値が、上下ともばらつき許容範囲の許す限り接近していることが望ましい（例えば、図１４における差分β＝約0.3V程度）。これは、２線式の電子スイッチ２１における場合と同様に、差分βが接近しているほど、電子スイッチ２１の出力回路１０２とインタフェース回路２２の基準電圧作成回路１１１の特性とを合致したものとすることが必要となる。すなわち、電圧値V21と電圧値V25、および電圧値V22と電圧値V28とが同値である必要がある。結果として、不正な電子スイッチ２１が、インタフェース回路２２に接続されるようなことが万が一あったとしても、遊技球３１が検出されたかのような動作をさせることが困難なものとなるため、不正を抑制させることが可能となる。
【０１８０】
以上によれば、出力回路１０２により３線式の電子スイッチ２１の動作状態に応じて、電源電圧値より小さく、接地電圧値より大きな、少なくとも１つ以上の中間電圧値を変化させて、被検出体が検出された場合、電源電圧値より小さく、接地電圧値より大きな、第１の出力電圧値を出力し、被検出体が検出されていない場合、電源電圧値より小さく、接地電圧値より大きな、第２の出力電圧値を出力し、電波が検出された場合、電源電圧値もしくは電源電圧値近傍の電圧値、または接地電圧値もしくは接地電圧値近傍の電圧値を出力するようにしたので、強電波を用いた不正行為を抑制させることが可能となる。
【０１８１】
尚、図１１の電子スイッチ２１においては、電波が検出された場合に出力される電圧値V23は、接地電位近傍であるが、電源電圧Vcc2近傍とする設定も可能である。
【０１８２】
図１６は、電波が検出された場合に出力される電圧値V23を、電源電圧Vcc2近傍とした３線式の電子スイッチ２１の一実施の形態の構成を示す図である。尚、図１１の電子スイッチ２１と同一の構成については、同一の符号を付しており、その説明は適宜省略するものとする。
【０１８３】
図１６の電子スイッチ２１における図１１の電子スイッチ２１と異なる点は、出力回路１０２、抵抗R13、および電源電圧Vcc2に代えて、出力回路１２１、抵抗R47、および電源電圧Vcc3を設けた点である。
【０１８４】
出力回路１２１は、端子Va，GND間に抵抗R42，R41、およびNPNトランジスタTr31のコレクタ−エミッタが直列に接続されている。また、同様にして、端子Va，GND間に抵抗R44，R43、およびNPNトランジスタTr33のコレクタ−エミッタ間が直列に接続されている。さらに、端子Va，GND間に抵抗R45，R46、およびダイオードD22が直列に接続されている。
【０１８５】
NPNトランジスタTr31のベースは、電波検出回路５４に接続されている。PNPトランジスタTr32のエミッタ−コレクタ（エミッタが端子Va側に接続され、コレクタが抵抗R45，R46の中間電位に接続されている）は、抵抗R45に並列に接続されており、ベースは、抵抗R41，R42の中間電位に接続されている。さらに、NPNトランジスタTr34のエミッタ−コレクタ間およびダイオードD21（エミッタが端子Va側に接続され、コレクタがダイオードD21の入力端子に接続され、ダイオードD21のカソードが抵抗R45，R46の中間電位に接続されている）も、抵抗R45に並列に接続されており、ベースは、抵抗R43，R44の中間電位に接続されている。端子Voutは、抵抗R45，R46の中間電位に接続されている。また、抵抗R45は、抵抗R46，R47に比べて十分に大きな値である。また、ダイオードD21，D22は、図１１におけるダイオードD13，D14と同一のものである。
【０１８６】
すなわち、電波が検出されると、トランジスタTr31，Tr32がONとなる。結果として、端子Voutは、電源電圧Vcc3の電圧値Vcc3近傍の値となる。さらに、電波が検出されず、かつ、遊技球３１が検出されない場合、トランジスタTr33，Tr34がONとなる。結果として、端子Voutの電圧値Vout＝Vcc3−VD21となる。また、電波が検出されず、かつ、遊技球が検出された場合、トランジスタTr33，Tr34がOFFとなる。結果として、Vout≒VD22となる。
【０１８７】
尚、インタフェース回路２２および制御コンピュータ２３については、同様の処理となるので、その説明は省略する。
【０１８８】
以上においては、電波が検出された時点で、不正行為として認識し、遊技店の係員に対して報知させることを目的とした処理について説明してきたが、電波が検出されることそのものが不正行為を目的としたものであるとは限らず、電波が検出される度に、不正行為がなされている可能性のあることが報知されても、係員が毎度確認する必要があるため、不正行為を目的としていない電波に対しても報知が繰り返されれば、真の不正行為を検出する行為そのものものを阻害するものになりかねない。
【０１８９】
そこで、電波が検出される場合、被検出体である遊技球３１の検出処理そのものを停止させてしまうこと（動作状態を保持させること）で、不正行為を防止するようにしてもよい。
【０１９０】
図１７は、電波が検出される場合、被検出体である遊技球３１の検出処理を保持するようにした２線式の電子スイッチ２１に対応するインタフェース回路２２の一実施の形態の構成を示す図である。インタフェース回路２２は、抵抗R51，R52、ツェナーダイオードZD31、ダイオードD31、定電流回路I3、および比較回路COM21からなる検出ブロック１３１からなる。
【０１９１】
電源電圧Vcc1と接地電位との間に、抵抗R51と定電流回路I3とが直列に接続されている。ダイオードD31のアノードは、抵抗R51と定電流回路I3との中間位置に接続され、カソードは、ツェナーダイオードZD31のアノードに接続される。ツェナーダイオードZD31のカソードは、抵抗R52を介して電源電圧Vcc1に接続されている。また、比較回路COM21の正入力端子には、抵抗R51と定電流回路I3との中間位置の電位が入力される。比較回路COM21の負入力端子には、端子Vaの電圧が入力される。比較回路COM21の出力端子は、ツェナーダイオードZD31と抵抗R52の中間電位に接続されると共に、制御コンピュータ２３の端子V42に接続される。電子スイッチ２１の低位側端子Vbが接地電位に接続される。このような回路構成により、抵抗R51，R52、ツェナーダイオードZD31、ダイオードD31、定電流回路I3、および比較回路２１からなる正帰還回路が構成される。
【０１９２】
尚、ツェナーダイオードZD1（図４）とツェナーダイオードZD31とが、定電流回路I1（図４）と定電流回路I3が、ダイオードD1，D2（図４）とダイオードD31とがそれぞれ同特性のものを使用している。尚、抵抗R51は、抵抗R1より大きい定数を選択し、比較回路COM21は、オープンコレクタ出力タイプとする。
【０１９３】
次に、図１７のインタフェース回路２２の動作について説明する。
【０１９４】
電子スイッチ２１が閉塞動作時（遊技球非検出）において、端子Vaの電圧VINは、V1となる。比較回路COM21は、オープン状態となり、ダイオードD31では逆方向印加となるため電圧値V41は抵抗R51と定電流回路I3とで決定される。一方、電子スイッチ２１が開放動作時（遊技球検出）において、比較回路COM21は、出力が0vに変化する。この結果、ダイオードD31、ツェナーダイオードZD31がアクティブとなり、電圧値V41は電位の低い状態に切換わる。
【０１９５】
従って、比較回路COM21の正入力端子の入力電圧となる電圧値V41は、以下の式（１９），式（２０）で示される２種類の値となる。
【０１９６】
V41hi＝Vcc1−R51×I3      （閉塞動作時の正端子電圧）
・・・（１９）
【０１９７】
V41lo＝VZD31＋VD31        （開放動作時の正端子電圧）
・・・（２０）
【０１９８】
ここで、抵抗R51は抵抗R1より大きく、また、定電流回路I1と、定電流回路I3とは同特性であるので、電圧値V41hiは、V2＞V41hiとなる。従って、図１７のインタフェース回路２２においては、以下の式（２１），式（２２）で示される関係が成立する。
【０１９９】
V3＞V41lo＞V1
・・・（２１）
【０２００】
V2＞V41hi＞V3
・・・（２２）
【０２０１】
上記電位関係は、電源電圧Vcc1の変動、周囲関係変化によらず常時確保される。
【０２０２】
すなわち、比較回路COM21の正入力端子の入力電圧となる電圧値V41は、比較回路COM21の動作状態に応じて、開放動作時にはV41loとなり、閉塞動作時にはV41hiとなる。この結果、例えば、電波が検出されることにより、比較回路COM21の負入力端子に電圧値V3が入力されることがあっても、比較回路COM21の動作に変化を与えないこととなる。
【０２０３】
ところで、遊技球３１が入賞された個数は、閉塞状態（遊技球３１が検出されていない状態）から開放状態（遊技球３１が検出された状態）になった後、再び閉塞状態（遊技球３１が検出されていない状態）になったとき、1個の遊技球３１が入賞されたとみなされる。従って、図１７で示されるようなインタフェース回路２２によれば、電波が検出されることにより、比較回路COM21の負入力端子に電圧値V3が入力されても、開放状態から閉塞状態に変化することもなく、逆に、閉塞状態から開放状態に変化することもないため、結果として遊技球３１の個数がカウントされないので、電波による不正行為を抑制することが可能となる。
【０２０４】
次に、図１８のフローチャートを参照して、図１７のインタフェース回路２２における切替処理について説明する。
【０２０５】
ステップＳ３１において、電圧値VINが、電圧値V41hiよりも大きいか否かに基づいて、例えば、電圧値VINが、遊技球が検出されることにより電圧値V2となれば、電圧値V41hiよりも大きいことになり、ステップＳ３２において、開放動作時（遊技球検出）において、比較回路COM21の出力が0vに変化するので、ダイオードD31、ツェナーダイオードZD31がアクティブとなり、電圧値V41は電圧値V41loに切り替わる。
【０２０６】
ステップＳ３１において、電圧値VINが、電圧値V41hiよりも大きくない場合、ステップＳ３３において、電圧値VINが、電圧値V41loよりも小さいか否かに基づいて、例えば、電圧値VINが、遊技球が検出されないことにより電圧値V1となれば、電圧値V41loよりも小さいことになり、ステップＳ３４において、閉塞動作時（遊技球非検出）において、電圧値VINは、V1となるので、比較回路COM21は、オープン状態となり、ダイオードD31では逆方向印加となるため電圧値V41は抵抗R51と定電流回路I3とで決定されることになるので、電圧値V41は電圧値V41hiに切り替わる。
【０２０７】
ステップＳ３３において、電圧値VINが、電圧値V41loよりも小さくない場合、その処理は、ステップＳ３１に戻り、それ以降の処理が繰り返される。
【０２０８】
すなわち、図１９で示されるタイミングチャートで動作するような場合、以下のように電圧値V41が切り替わる。尚、図１９においては、上から、被検出体である遊技球３１の有無を示すタイミングチャート、電波が検出されるタイミングを示すタイミングチャート、実線で示される電圧値VIN、および点線で示される電圧値V41の変化、および電圧値V42の電圧値の変化をそれぞれ示すタイミングチャートである。図中の矢印で示される期間内が、遊技球３１、または、電波が検出されている期間を示している。
【０２０９】
時刻t0乃至時刻t11においては、電波が検出されず、かつ、遊技球３１が検出されていないので、電圧値VINは、電圧値V1となり、電圧値V41は、電圧値V41hiとなる。従って、比較回路COM21の出力は、電源電圧値Vcc1となる。
【０２１０】
時刻t11乃至t12において、電波が検出されず、かつ、遊技球３１が検出されているので、電圧値VINは、電圧値V2となり、電圧値V41は、電圧値V41loに切り替わる。従って、比較回路COM21の出力は、０となる。
【０２１１】
時刻t12乃至t13において、電波が検出されず、かつ、遊技球３１が検出されない状態に変化しているので、電圧値VINは、電圧値V1となり、電圧値V41は、電圧値V41hiに切り替わる。従って、比較回路COM21の出力は、電源電圧値Vcc1となる。
【０２１２】
時刻t13乃至t21において、電波が検出されず、かつ、遊技球３１が検出されているので、電圧値VINは、電圧値V2となり、電圧値V41は、電圧値V41loに切り替わる。従って、比較回路COM21の出力は、０となる。
【０２１３】
時刻t21乃至t14において、電波が検出されて、かつ、遊技球３１が検出された状態に変化しているので、電圧値VINは、電圧値V3となる。しかしながら、電圧値V41は、電圧値V41loであるので、比較回路COM21の出力は、０が維持される。
【０２１４】
時刻t14乃至t22において、電波が検出されて、かつ、遊技球３１が検出されていない状態であるので、電圧値VINは、電圧値V3が維持される。ここでは、電圧値V41は、電圧値V41loのままであるので、比較回路COM21の出力は、０が維持され、電波が検出されているにもかかわらず、遊技球３１が検出されていない状態が保持される。
【０２１５】
時刻t22乃至t23において、電波が検出されず、かつ、遊技球３１が検出されない状態に変化しているので、電圧値VINは、電圧値V1となり、電圧値V41は、電圧値V41hiに切り替わる。従って、比較回路COM21の出力は、電源電圧値Vcc1に切り替わる。
【０２１６】
時刻t23乃至t24において、電波が検出され、かつ、遊技球３１が検出されない状態に変化しているので、電圧値VINは、電圧値V3となる。しかしながら、電圧値V41は、電圧値V41hiが維持されたままとなり、結果として、比較回路COM21の出力は、電波が検出されているにもかかわらず電源電圧値Vcc1となる。
【０２１７】
時刻t24乃至t25において、電波が検出されず、かつ、遊技球３１が検出されない状態に変化しているので、電圧値VINは、電圧値V1となり、電圧値V41は、電圧値V41hiが維持される。従って、比較回路COM21の出力は、電源電圧値Vcc1のまま維持される。
【０２１８】
時刻t25乃至t15において、電波が検出され、かつ、遊技球３１が検出されない状態に変化しているので、電圧値VINは、電圧値V3となる。しかしながら、電圧値V41は、電圧値V41hiが維持されたままとなり、結果として、比較回路COM21の出力は、電波が検出されているにもかかわらず電源電圧値Vcc1を保持する。
【０２１９】
時刻t15乃至t16において、電波が検出されて、かつ、遊技球３１が検出された状態に変化しているが、電圧値VINは、電圧値V3が維持され、電圧値V41は、電圧値V41hiであるので、比較回路COM21の出力は、電源電圧値Vcc1が維持される。
【０２２０】
時刻t16乃至t17において、電波が検出され、かつ、遊技球３１が検出されない状態に変化しているが、電圧値VINは、電圧値V3が維持され、電圧値V41は、電圧値V41hiが維持されたままとなり、結果として、比較回路COM21の出力は、電波が検出されているにもかかわらず電源電圧値Vcc1を保持する。
【０２２１】
時刻t17乃至t26において、電波が検出されて、かつ、遊技球３１が検出された状態に変化しているが、電圧値VINは、電圧値V3が維持され、電圧値V41は、電圧値V41hiであるので、比較回路COM21の出力は、電源電圧値Vcc1が維持される。
【０２２２】
時刻t26乃至t18において、電波が検出されず、かつ、遊技球３１が検出されているので、電圧値VINは、電圧値V2となり、電圧値V41は、電圧値V41loに切り替わる。従って、比較回路COM21の出力は、０に切り替わる。
【０２２３】
結果として、電波が検出されていない通常時は、遊技球３１の有無に従い電圧値VIN，V41は連動し、遊技球非検出時には、電圧値VIN＝V1、および電圧値V41＝V41hiとなり、遊技球検出時には、電圧値VIN＝V2、および電圧値V41＝V41loとなる。しかしながら、電波照射時は電圧値VIN，V41の連動動作が崩れ、電圧値VINはV3に固定される。この場合、電圧値V41は、２通りの動作をする。
【０２２４】
第１の動作は、例えば、時刻t21乃至t22の電波が検出されたとき、電波が検出される直前が遊技球検出の状態で、電圧値VIN＝V2、電圧値V41＝V41loとなっていた。ここで電波が検出され、電圧値VINが電圧値V3に変化してもV3＞V41loであるので、比較回路COM21の状態は変化しない。
【０２２５】
第２の動作は、例えば、時刻t23乃至t24間の電波が検出されたとき、電波が検出される直前が遊技球非検出の状態で、電圧値VIN＝V1、電圧値V41＝V41hiとなっていた。ここで電波が検出され、電圧値VINが電圧値V3に変化してもV41hi＞V3ゆえ比較回路COM21の状態は変化しない。
【０２２６】
結局、電波が検出される直前の状態が、電波が検出されている期間中も保持される動作となる。
【０２２７】
以上のように、図１７で示されるようなインタフェース回路２２によれば、比較回路COM21の負入力端子に供給される電圧値が電圧値V1である場合、弁別閾値となる電圧値V41を電圧値V2と電圧値V3の中間電圧値V41hiに切り替え、比較回路COM21の負入力端子に供給される電圧値が電圧値V2である場合、弁別閾値となる電圧値V41を電圧値V1と電圧値V3の中間電圧値V41loに切り替えるようにしたので、電波が検出されると、電子スイッチ２１により遊技球３１は検出されるものの、カウントするための比較回路COM21の動作が保持されることになるため、電波が検出されている時間だけ処理が先送りされるのみで、遊技球３１が不正に増加することがなくなるので、不正行為を抑制することが可能となる。
【０２２８】
以上の例においては、検出ブロック１３１がインタフェース回路２２に設けられる例について説明してきたが、インタフェース回路２２以外の装置に設けられるようにしてもよい。
【０２２９】
図２０は、検出ブロック１３１を内蔵した３線式の電子スイッチ２１の一実施の形態の構成を示す図である。尚、図４の電子スイッチ２１の構成と同一の構成については、同一の符号を付しており、その説明は、適宜省略する。
【０２３０】
図２０の電子スイッチ２１の構成は、基本的には、図４の２線式の電子スイッチ２１に検出ブロック１３１を内蔵させた構成となっている。すなわち、図２０の電子スイッチ２１において、図４の電子スイッチ２１と異なる点は、出力回路５７に代えて出力回路１４１を設けており、さらに、検出ブロック１４２、およびシュミットバッファB1が新たに加えられている点である。
【０２３１】
出力回路１４１は、基本的に出力回路５７と同様であり、出力回路５７に定電流回路I1、抵抗R1が付加されたのみであって、構成および動作については同様であるので、その説明は省略する。
【０２３２】
検出ブロック１４２は、比較回路COM21の負入力端子には、出力回路１４１のPNPトランジスタTr1のエミッタからの電位が入力されること、および、比較回路COM21の出力がシュミットバッファB1に供給されることを除き、検出ブロック１３１と同一のものであるので、構成および動作の説明は省略する。
【０２３３】
出力端子Va，GNDは、図４の端子Va，Vbと同様である。端子Voutは負荷抵抗R61にてプルアップされる。また、電圧値V71の動作は、図１７における電圧値V41と同一の動作をとなる。結果として、Vout端子は電波が検出されている時には状態を保持することが可能となるため、図２０の電子スイッチ２１のみで、電波による不正行為を抑制することが可能となる。
【０２３４】
尚、図４、図１１、図２０の電子スイッチ２１においては、遊技球３１の検出を主な用途として想定した例について説明してきたが、人体検出タッチスイッチ、フォトセンサなど異種電子スイッチについても同様の手法で不正行為を抑制することが可能となる。
【０２３５】
また、図４，図１１，図２０の電子スイッチ２１は、半導体集積回路にて作成される場合がある。この場合、図６，図１２，図１７のインタフェース回路２２も同プロセスの半導体集積回路を内蔵することにより、使用素子の特性を合致させることができるので、不正行為をさらに高い精度で抑制することが可能となる。
【０２３６】
以上によれば、電子スイッチ２１の動作状態に応じて、電源電圧から接地電位までの複数の電圧値に切り替えて出力するようにしたので、被検出体有無に加えて、電子スイッチへの電波照射、接続線部の断線、短絡等不正行為の発生を検出し、パチンコ遊技台のセキュリティを向上させることが可能となる。また、出力電圧値を切り替えるのみで、多種の動作状態を後段に出力することが可能となるので、異常信号を送るためだけの新たな端子を新設する必要がなく、遊技台側の制御回路も簡素なものでの対応が可能となるので、製品のコストの上昇を抑制しつつ、不正行為に対しての安全性を向上させることが可能となる。尚、中間電位作成回路としては、ダイオード、ツェナーダイオード、定電圧回路、および定電流回路等を組み合わせることで、電子スイッチ２１の特性は、外部接続状況の影響を受けない。さらに、インタフェース回路側が、同素子、同構成で構成され、さらに、閾値判定において上下限判定をすることにより、信号弁別能力をさらに向上させることが可能となるので、異種電子スイッチ接続などの不正行為を抑制させることが可能となる。
【０２３７】
また、本明細書において、システムとは、複数の装置により構成される装置全体を表すものである。
【図面の簡単な説明】
【０２３８】
【図１】本発明を適用した本発明に係る遊技球検出スイッチを適用したパチンコ遊技台の一実施の形態の構成を示す図である。
【図２】図１の電子スイッチの外観構成および動作原理について説明する図である。
【図３】図１の電子スイッチの外観構成および動作原理について説明する図である。
【図４】２線式の電子スイッチの一実施の形態の構成を説明する図である。
【図５】電波検出回路を説明する図である。
【図６】図４の２線式の電子スイッチに対応するインタフェース回路の一実施の形態の構成を説明する図である。
【図７】横軸を電源電圧Vcc1、縦軸を出力端子Vaの電圧としたとき、上述した電圧値V1乃至V9の大小関係を示す図である。
【図８】比較回路COM1乃至COM４の比較結果となる制御コンピュータの端子V10乃至V13に入力される信号のパターンを説明する図である。
【図９】図４の電子スイッチによる出力端子間電圧の切替処理を説明するフローチャートである。
【図１０】図４の２線式の電子スイッチに対応するインタフェース回路のその他の構成を説明する図である。
【図１１】３線式の電子スイッチの一実施の形態の構成を説明する図である。
【図１２】図１１の３線式の電子スイッチに対応するインタフェース回路のその他の構成を説明する図である。
【図１３】横軸を電源電圧Vcc2、縦軸を出力端子Voutの電圧としたとき、上述した電圧値V21乃至V29の大小関係を示す図である。
【図１４】比較回路COM11乃至COM14の比較結果となる制御コンピュータの端子V31乃至V34に入力される信号のパターンを説明する図である。
【図１５】図１１の電子スイッチによる出力端子電圧の切替処理を説明するフローチャートである。
【図１６】３線式の電子スイッチのその他の構成を説明する図である。
【図１７】図４の２線式の電子スイッチに対応するインタフェース回路のその他の構成を説明する図である。
【図１８】図１７のインタフェース回路による出力端子電圧の切替処理を説明するフローチャートである。
【図１９】図１７のインタフェース回路による出力端子電圧の切替処理を説明するタイミングチャートである。
【図２０】３線式の電子スイッチのさらにその他の構成を説明する図である。
【符号の説明】
【０２３９】
１１  パチンコ遊技台
２１  電子スイッチ
２２  インタフェース回路
２３  制御コンピュータ
５１  発振回路
５２  検波積分回路
５３  動作信号弁別回路
５４  電波検出回路
５５  増幅回路
５６  反転増幅回路
５７  出力回路
７１  基準電圧作成回路
１０１  定電圧回路
１０２  出力回路
１０３  動作信号弁別回路
１１１  基準電圧作成回路
１２１  出力回路
１３１  検出ブロック
１４１  出力回路
１４２  検出ブロック
【図１】
2006304007.tif 000003
【図２】
2006304007.tif 000004
【図３】
2006304007.tif 000005
【図４】
2006304007.tif 000006
【図５】
2006304007.tif 000007
【図６】
2006304007.tif 000008
【図７】
2006304007.tif 000009
【図８】
2006304007.tif 000010
【図９】
2006304007.tif 000011
【図１０】
2006304007.tif 000012
【図１１】
2006304007.tif 000013
【図１２】
2006304007.tif 000014
【図１３】
2006304007.tif 000015
【図１４】
2006304007.tif 000016
【図１５】
2006304007.tif 000017
【図１６】
2006304007.tif 000018
【図１７】
2006304007.tif 000019
【図１８】
2006304007.tif 000020
【図１９】
2006304007.tif 000021
【図２０】
2006304007.tif 000022